【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
外部から入力する交流電力を直流電力に変換して蓄積する蓄電手段と、交流電力を外部へ供給する１以上のサービスコンセントを備える構内交換装置、またはボタン電話システムの主装置である電話装置であって、
前記外部から交流電力が印加されているか否かを監視する交流電力監視手段と、前記蓄電手段に蓄積されている電力量を監視する蓄積電力量監視手段と、自装置に接続された１以上の内線端末への給電を停止または制限する内線端末宛給電制御手段と、を有し、
前記外部から交流電力が印加されているならば、前記内線端末宛給電制御手段は外部から入力する交流電力を前記サービスコンセントへ供給し、直流電力を前記内線端末へ供給し、前記外部から交流電力が印加されていなくかつ前記蓄電手段に蓄積されている電力量が所定値以上ならば、前記蓄電手段に蓄電されている電力を交流電力に変換して前記サービスコンセントへ供給し、直流電力を前記内線端末へ供給し、前記外部から交流電力が印加されていなくかつ前記蓄電手段に蓄積されている電力量が所定値未満ならば前記内線端末への給電を停止または制限し、前記サービスコンセントへの交流電力の供給を継続することを特徴とする蓄電および給電機能を有する電話装置。
【請求項２】
請求項１に記載の電話装置であって、
前記外部から交流電力が印加されていなくかつ前記蓄電手段に蓄積されている電力量が所定値未満ならば、前記交流電力監視手段または前記蓄積電力量監視手段が取得した情報または前記内線端末または予め設定された通知先へ前記内線端末への給電を停止する旨を事前通知することを特徴とする蓄電および給電機能を有する電話装置。
【手続補正２】
【補正対象書類名】明細書
【補正対象項目名】００１５
【補正方法】変更
【補正の内容】
【００１５】
まず、１つ目のルートを説明する。外部より入力された交流電力はサービスコンセント宛給電制御部１０１をスルーし、サービスコンセント１０２−１〜１０２−ｎを介して外部機器２００−１〜２０１−ｎへ供給される。ここで、サービスコンセント宛給電制御部１０１をスルーさせて交流電力を供給する目的は、一度直流電力に変換して蓄積した電力を、再び交流電力に変換して供給する際に電源効率が悪くなることを防ぐためである。これは無停電電源装置（ＵＰＳ）で一般的に行われるような方法である。
【手続補正３】
【補正対象書類名】明細書
【補正対象項目名】００１６
【補正方法】変更
【補正の内容】
【００１６】
次に、２つ目のルートを説明する。外部より入力された交流電力はＡＣ／ＤＣ変換部１０６で所定の値の直流電力に変換され、蓄電部１０７に蓄積される。蓄電部１０７に蓄積された蓄積電力量を監視する蓄積電力量監視部１０８は、電力制御部１０５に監視結果を送信する。また、蓄積された直流電力はＤＣ／ＡＣ変換部１０９で再び所定の値の交流電力に変換され、サービスコンセント宛給電制御部１０１、およびサービスコンセント１０２−１〜１０２−ｎを介して外部機器２００−１〜２００−ｎへ供給する。この蓄電部１０７に蓄積された電力は、外部より入力された交流電力が遮断された場合に使用する。
【手続補正４】
【補正対象書類名】明細書
【補正対象項目名】００１７
【補正方法】変更
【補正の内容】
【００１７】
次に３つ目のルートを説明する。外部より入力された交流電力は、ＡＣ／ＤＣ変換部１０６で所定の値の直流電力に変換され、電話機ＩＦ部１１５内の内線端末宛給電制御部１１０を介して内線端末３００−１〜３００−ｎへ供給される。また、蓄電部１０７に蓄積された直流電力も電話機ＩＦ部１１５内の内線端末宛給電制御部１１０を介し、同じルートで供給される。この蓄電部１０７に蓄積された電力は、外部より入力された交流電力が遮断された場合に使用する。
【手続補正５】
【補正対象書類名】明細書
【補正対象項目名】００１９
【補正方法】変更
【補正の内容】
【００１９】
また、電力制御部１０５は、電話装置１００の構内交換機としての電話機能を動作させるために用いられる電力の制御を行う。交流電力監視部１０４の監視結果が通電状態の場合、外部より入力された交流電力をＡＣ／ＤＣ変換部１０６が所定の値の直流電力に変換し、電話機ＩＦ部１１５内の内線端末宛給電制御部１１０を介して内線端末３００−１〜３００−ｎに供給する。また、停電状態であり、かつ蓄積電力量監視部１０８が監視する蓄積電力量が所定の値以上の場合は、蓄電部１０７に蓄積された電力を、電話機ＩＦ部１１５内の内線端末宛給電制御部１１０を介して内線端末３００−１〜３００−ｎへ供給する。
【手続補正６】
【補正対象書類名】明細書
【補正対象項目名】００２１
【補正方法】変更
【補正の内容】
【００２１】
また電話機能制御部１１１は、電力制御部１０５に集められた電力監視結果を受信し、外線ＩＦ部１１２、ＬＡＮＩＦ部１１３、電話機ＩＦ部１１５を介し、所定の通知先へ電力監視結果に係る情報を送信する。ここで、電力監視結果とは、通電状態か停電状態かを示すサービスコンセント宛給電制御部１０１への切替指示情報、内線端末宛給電制御部１１０への切替指示情報、外部から入力される交流電力監視情報、蓄積電力量監視情報、後述する内線端末への給電停止情報などである。
【手続補正７】
【補正対象書類名】明細書
【補正対象項目名】００２５
【補正方法】変更
【補正の内容】
【００２５】
図２は、本発明の蓄電および給電機能を有する電話装置の動作フローチャートである。
外部より入力された交流電力で駆動している状態を商用電力駆動とする（Ｓ１００）。ここで、商用電力と記載するのは蓄積電力と区別するためであり、自家発電電力でもよいものとする。次に、電話装置１００に接続される外部機器２００−１〜２００−ｎへ商用電力の供給を開始する（Ｓ１０１）。
【手続補正８】
【補正対象書類名】明細書
【補正対象項目名】００２６
【補正方法】変更
【補正の内容】
【００２６】
交流入力電力が一定値以上の場合（Ｓ１０２、ＮＯ）、商用電力による駆動を継続する。交流入力電力が一定値未満の場合（Ｓ１０２、ＹＥＳ）、次に蓄積電力量の判定を行う。蓄積電力量が第一のしきい値以上の場合（Ｓ１０３、ＹＥＳ）、蓄積電力駆動に切り替わる（Ｓ１０４）。このとき蓄積電力を外部機器２００−１〜２００−ｎへ供給する（Ｓ１０５）。蓄積電力量が第一のしきい値未満の場合（Ｓ１０３、ＮＯ）、後述するＳ１０７の蓄積電力量の判定に進む。
【手続補正９】
【補正対象書類名】明細書
【補正対象項目名】００２７
【補正方法】変更
【補正の内容】
【００２７】
また、所定の通知先へ蓄積電力駆動に切り替わったことを通知（Ｓ１０６）、すなわち停電になったことを通知する。この場合の所定の通知先とは、外線、ＩＰ網、内線端末３００−１〜３００−ｎである。蓄積電力量が第二のしきい値以上（Ｓ１０７、ＮＯ）ならば、蓄積電力駆動を継続する。ここで、Ｓ１０７とＳ１０３で判断する蓄積電力量の値とは、１つの値に限定されるものではなく、Ｓ１０３を蓄積電力量が第一のしきい値以上とし、Ｓ１０７を蓄積電力量が第二のしきい値未満と、２段階に分けてもよい。
【手続補正１０】
【補正対象書類名】明細書
【補正対象項目名】００２８
【補正方法】変更
【補正の内容】
【００２８】
蓄積電力量が第一のしきい値未満（Ｓ１０７、ＹＥＳ）の場合、内線端末３００−１〜３００−ｎへの給電停止の事前情報を内線端末３００−１〜内線端末３００−ｎに通知する（Ｓ１０８）。通知が完了すると、内線端末３００−１〜３００−ｎへの給電を停止し（Ｓ１０９）、外部機器２００−１〜２００−ｎへ優先的に蓄積電力を供給する（Ｓ１１０）。
【手続補正１１】
【補正対象書類名】明細書
【補正対象項目名】００２９
【補正方法】変更
【補正の内容】
【００２９】
停電復旧の場合、交流入力電力が一定値以上（Ｓ１１１、ＹＥＳ）となり、商用電力駆動に切り替わり、停止していた内線端末３００−１〜３００−ｎへの給電を再開し（Ｓ１１２）、所定の通知先へ停電復旧を通知し（Ｓ１１３）、Ｓ１００へ戻る。
【手続補正１２】
【補正対象書類名】明細書
【補正対象項目名】００３０
【補正方法】変更
【補正の内容】
【００３０】
次に、図３のサービスコンセント優先度設定のフローチャートを説明する。蓄積電力駆動時（Ｓ２００）、内線または外線またはＩＰ網から、サービスコンセント１０２−１〜１０２−ｎのどのサービスコンセントへの給電を優先するかの指示情報を受信し（Ｓ２０１、ＹＥＳ）、給電優先サービスコンセントが１番の場合（Ｓ２０２、ＹＥＳ）、優先サービスコンセント１０２−１への給電を継続し（Ｓ２０３）、優先サービスコンセント１０２−１以外のサービスコンセントへの給電を停止する（Ｓ２０４）。
【手続補正１３】
【補正対象書類名】明細書
【補正対象項目名】００３１
【補正方法】変更
【補正の内容】
【００３１】
また、給電優先サービスコンセントが１番ではなく（Ｓ２０２、ＮＯ）、ｎ番の場合（Ｓ２０５、ＹＥＳ）、優先サービスコンセント１０２−ｎへの給電を継続し（Ｓ２０６）、優先サービスコンセント１０２−ｎ以外のサービスコンセントへの給電を停止する（Ｓ２０７）。ここで、サービスコンセント優先度設定において簡単化のため、優先的に電力を供給するサービスコンセントを１つとしているが、例えば１番〜３番のサービスコンセントは電力供給し、４番〜６番のサービスコンセントへは供給停止というように、複数のサービスコンセントを設定してもよい。また、優先度も複数の段階を設定し、蓄積電力の残量によって優先度の低い順に電力の供給を停止するような構成にしてもよいものとする。
【手続補正１４】
【補正対象書類名】明細書
【補正対象項目名】００３３
【補正方法】変更
【補正の内容】
【００３３】
次に、図４の内線端末優先度設定のフローチャートを説明する。蓄積電力駆動時（Ｓ３００）、内線または外線またはＩＰ網から、内線端末３００−１〜内線端末３００−ｎのどの内線端末への給電を優先するかを指示する指示情報を受信し（Ｓ３０１、ＹＥＳ）、給電優先内線端末が１番の場合（Ｓ３０２、ＹＥＳ）、優先内線端末３００−１へ給電し（Ｓ３０３）、優先内線端末３００−１以外の内線端末への給電を停止する（Ｓ３０４）。
【手続補正１５】
【補正対象書類名】図面
【補正対象項目名】全図
【補正方法】変更
【補正の内容】
【図１】
2013187625.tif 000001
【図２】
2013187625.tif 000002
【図３】
2013187625.tif 000003
【図４】
2013187625.tif 000004